(57)【要約】【解決手段】  保持手段（１）を備えるマットレス（１５）おいて、固定手段（２）を備える上敷き（１６）を乗せることができ、その際上敷き（１６）は取り外し可能にマットレス（１５）に固定することができる。保持手段（１）は、基本的に長手方向に固定された細長のフレキシブル要素（５）を含み、第一の領域（７）がそれぞれマットレス（１５）と結合し、その間にある第二の領域（９）は結合していない。隣り合う第二の領域（９）の間隔（ａ）それぞれは基本的に一定で、固定手段（２）は、基本的に保持手段（１）の第二の領域（９）の上に置かれるように、上敷き（１６）に取り付けられる。固定手段（２）は保持手段（１）の対応する第二の領域（９）と結合させることができる。本システムにより簡単な方法で上敷き（１６）をマットレス（１５）と結合させることができる。【選択図】  図１
2005193023.tif 000002
【特許請求の範囲】
【請求項１】
ベッド様家具用、特にすのこを有するベッドフレーム用の上敷き付きマットレスであって、マットレス（１５）が保持手段（１）を備え、固定手段（２）を有する少なくとも１体の上乗せ可能な上敷き（１６）をマットレス（１５）に保持手段（１）で取り外し／固定可能に備えており、保持手段（１）が基本的に長手方向に固定された細長のフレキシブル要素（５）を含み、該フレキシブル要素の二個の第一の領域（７）がマットレス（１５）と固定的に結合され、その間にある第二の領域（９）は結合されておらず、保持手段（１）はマットレス（１５）の上側及び／又は下側のへり領域の周囲の少なくとも一部を介して固定され、隣り合う第二の領域間の間隔（ａ）はそれぞれ基本的に一定で、固定手段（２）が上敷き（１６）のへり領域に取り付けられ且つ基本的にそれぞれ保持手段（１）の第二の領域に対向して配置され、固定手段（２）が保持手段（１）の対応する第二の領域（９）と結合可能であることを特徴とする、上敷き付きマットレス。
【請求項２】
固定手段（２）の隣り合う第二の領域（１０）の相互間隔（ｂ）が、保持手段（１）の隣り合う第二の領域（９）の間隔（ａ）の整数倍であることを特徴とする、請求項１記載の上敷き付きマットレス。
【請求項３】
細長のフレキシブル要素（５）が保持手段（１）の少なくとも一部に渡って伸び、マットレス（１５）と結合する第一の領域（７）と結合されていない第二の領域（９）とが交互に並ぶことを特徴とする、請求項１又は２記載の上敷き付きマットレス。
【請求項４】
細長のフレキシブル要素（５）が第一のテープ（３）の縦へり領域（１１）に取り付けられ、他の縦へり領域（２０）は、マットレス（１５）が備えるカバー（１７）と結合し、特に縫い付けられることを特徴とする、請求項３記載の上敷き付きマットレス。
【請求項５】
上敷き（１６）の固定手段（２）が少なくとも１個の基本的に長手方向に固定された細長のフレキシブル要素（６）を含み、フレキシブル要素（６）は上敷き（１６）と結合する第一の領域（８）と、２個の第一の領域（８）の間にある結合されていない第二の領域（１０）とを有し、隣り合う領域（１０）は基本的に一定の間隔（ｂ）を有し、間隔（ｂ）は保持手段（１）の隣り合う第二の領域（９）の間隔（ａ）に等しいことを特徴とする、請求項１〜４のいずれか１項に記載の上敷き付きマットレス。
【請求項６】
細長のフレキシブル要素（６）が第二のテープ（４）の縦へり領域（１１）に取り付けられ、他の縦へり領域（２２）は、上敷き（１６）に備えられたカバー（２１）と結合し、特に縫い付けられることを特徴とする、請求項５記載の上敷き付きマットレス。
【請求項７】
固定手段（２）が更に結合要素（１２）を含み、結合要素（１２）は終端領域（１３）において細長のフレキシブル要素（６）の第二の領域（１０）内で保持され、他の終端領域（１４）はフック（２５）形状を呈し、保持手段（１）の細長のフレキシブル要素（５）の第二の領域（９）に係合されることを特徴とする、請求項５又は６記載の上敷き付きマットレス。
【請求項８】
少なくとも細長のフレキシブル要素（６）が太さ（ｄ）の組み紐であることを特徴とする、請求項５〜７のいずれか１項の記載の上敷き付きマットレス。
【請求項９】
結合要素（１２）の終端領域（１３）は一方のフック（２３）を形成し、その終端は突出部（２４）を備え、突出部により一方のフック（２３）の開口部が部分的に閉じられることを特徴とする、請求項８記載の上敷き付きマットレス。
【請求項１０】
結合要素（１２）が弾性プラスチックから製造されることを特徴とする、請求項７〜９のいずれか１項に記載の上敷き付きマットレス。
【発明の詳細な説明】
【技術分野】
【０００１】
本発明はベッド様家具用、特にすのこを有するベッドフレーム用の上敷き付きマットレスに関する。本発明のマットレスは保持手段を備え、保持手段には固定手段を備えた少なくとも１体の上敷きが固定可能であり、上敷きをマットレス上に乗せることができる。
【背景技術】
【０００２】
マットレスの利用者の要求を可能な限り満たすために、マットレスには望ましい特性を有する上敷きを設ける。マットレスは、基本的にコア材料とそれを覆うカバーとからなり、マットレスの上に置かれる上敷きを各種選択することにより、多種類の組み合わせを提供することができる。
【０００３】
マットレス上の上敷きは、頻繁に滑り落ち、場合によってはマットレスの上にいる人間の健康に悪影響を与え得るしわを形成するため、この上敷きをマットレスに固定することが必要である。固定手段として例えばジッパーを使用することが知られている。この場合、完全に分離可能なジッパーの一方をマットレスに固定し、他方を上敷きに固定する。これにより、１組あるいは複数組のジッパーを介して、上敷きとマットレスとが結合される。
【０００４】
この固定方法には、ジッパーをマットレスや上敷きに正確な位置で固定しなければならないという欠点がある。上敷きをマットレスの上に乗せて結合させる場合、その上敷きは適切なジッパー要素を備えなければならない。このようなものの製造は相当複雑で、更にマットレスにも上敷きにもそれぞれジッパー要素が必要であり、例えば上敷きを取り外して洗浄する際欠点となる可能性がある。更に、マットレスの両側にこのようなジッパー要素を備える場合、マットレスが接する下側の物体にかき傷を作るため望ましくない。更にこの種の固定方法は、特に、調整可能なヘッド部分とフット部分を有し台枠の上で用いるマットレスにおいては、上敷きがマットレスの折り曲がり領域でしわを作り、マットレスが伸ばされる領域では過度に引っ張られるという欠点があり、横たわった時の快適さを損ねる原因となる。
【０００５】
ジッパーの代わりにマジックテープ（登録商標）を従来の方法で使用することもできる。しかしながら汚れるという欠点があり、また取り外し可能なマジックテープ（登録商標）を剥がす際に不快な音が発生する。
【発明の開示】
【発明が解決しようとする課題】
【０００６】
本発明の課題は、マットレスとその上に置くことができる上敷きの固定システムを作ることであり、このシステムは、マットレスが折れ曲がるあるいは曲がる場合も、上敷きを最適な方法でマットレスの上に固定する。更にこの固定システムは使用に際してフレキシブルである。
【課題を解決するための手段】
【０００７】
前記課題は本発明によって解決される。即ち、保持手段が、基本的に長手方向に固定された細長のフレキシブル要素を含み、該フレキシブル要素の二個の第一の領域がマットレスと結合され、その間にある第二の領域は該マットレスと結合されておらず、該保持手段を少なくとも該マットレスの上側及び／又は下側のへり領域の周囲の一部に固定し、隣り合う第二の領域の間隔は基本的に一定であり、固定手段は上敷きのへり領域に取り付けられ、基本的に該保持手段の第二の領域のそれぞれに対向し、該固定手段が該保持手段の対応する第二の領域と結合可能であることにより解決される。
【０００８】
これにより、上敷きが位置調整可能なヘッド部とフット部を有するために縦方向に表面形状が変化する場合でも、最適な方法で上敷きをマットレスに固定できる。
【０００９】
好ましくは、固定手段の隣り合う第二の領域の相互間隔がそれぞれ保持手段の隣り合う第二の領域の間隔の整数倍である。固定手段はこれにより、必要なところに備えることができ、保持手段の第二の領域に対して常に適切に取り付けられる。
【００１０】
好ましくは、細長のフレキシブル要素は保持手段の少なくとも一部に渡って伸び、その際マットレスと結合する第一の領域と自由な第二の領域は交互に並ぶ。これによりマットレスへの保持手段の固定が簡単となる。
【００１１】
本発明の他の好ましい実施形態においては、細長のフレキシブル要素が、一方の縦へり領域がマットレスが備えるカバーと結合する第一のテープの他の縦へり領域に取り付けられ、特に縫い付けられる。これにより保持手段のマットレスへの取り付けが簡単になる。
【００１２】
好ましくは、上敷きの固定手段は、少なくとも１個の基本的に長手方向に固定された細長のフレキシブル要素を含み、該フレキシブル要素は上敷きと結合する第一の領域と結合され、結合されていない第二の領域を有し、結合されていない領域は２個の第一の領域間にあり、また第二の領域は互いに基本的に一定の間隔を有し、この間隔は保持要素の第二の領域の相互の間隔と等しい。上敷きの固定手段とマットレスの保持手段はこれにより、同じ基本要素を有するため、製造と適用が容易となる。
【００１３】
前記細長のフレキシブル要素は同様に、一方の縦へり領域が上敷きの備えるカバーと結合する第二のテープの他の縦へり領域に取り付けられ、特に縫い付けられる。これによっても上敷きへの固定は容易となる。
【００１４】
固定手段は、結合要素を更に含む。この結合要素は、一方の細長のフレキシブル要素においてそれぞれ第二の領域内で保持される第一の終端領域と、他方の細長のフレキシブル要素の第二の領域に係合されるフック状の第二の終端領域を有する。これにより、非常に簡単に適用可能な固定方法が有利に実現できる。
【００１５】
好ましくは、少なくと一方の細長のフレキシブル要素が太さｄを有する組み紐からなる。組み紐上においてフックとして形成され、それによりフックの開口部が部分的に閉じられる突出部を備える終端部が設けられる。結合要素の終端領域が把持され、結合要素の意図しない外れが回避される。それにもかかわらず、結合要素は、例えば洗浄のために、マットレスからも上敷きからも簡単な方法で外すことができる。
【００１６】
好ましくは、結合要素は弾性プラスチックから製造され、これにより組み紐の軽い掴みが可能になり、更に結合要素の簡単で安価な製造を可能にする。
【発明を実施するための最良の形態】
【００１７】
本発明の一実施形態を添付の図面を参照し詳述する。
【００１８】
図１に保持手段１と固定手段２の斜視図を示す。保持手段１は第一のテープ３に固定され、固定手段２は第二のテープ４に取り付けられる。第一のテープ３は、後に更に示すように、マットレスと結合され、第二のテープ４は、同様に後に更に示すように、上敷きと結合される。
【００１９】
保持手段１と固定手段２は、基本的に長手方向に固定された細長のフレキシブル要素５又は６を含み、例えばそれぞれ太さｄ（図２）の組み紐から形成される。この細長のフレキシブル要素５又は６は他の形、例えばテープ状にすることもできることは言うまでもない。細長のフレキシブル要素５と６はそれぞれ第一の領域７又は８に沿って第一のテープ３又は第二のテープ４と結合され、この第一の領域７又は８の間に第二の領域９又は１０が存在し、第二領域中で細長のフレキシブル要素５又は６は自由に動ける。図１に示す固定手段２の細長のフレキシブル要素６の第二の領域１０は、第二のテープ４の図では見えない側にある。第一のテープ３による細長のフレキシブル要素５の固定と、第二のテープ４による細長のフレキシブル要素６の固定は、第一の領域７又は８において縫い付けにより行われ、第一のテープ３と第二のテープ４が織物から構成される場合、細長のフレキシブル要素５又は６はそれぞれ第一のテープ３又は第二のテープ４の縦ふち領域１１で縫い付けられることもできる。フレキシブル細長の要素５と６は、縦方向の移動が不可能なように固定しなければならない。
【００２０】
第一のテープ３の第一の領域７と第二の領域９は、隣り合った第二の領域の間のそれぞれの間隔が一定であり長さａを有するように配置される。第一の領域７と第二の領域９のそれぞれの長さはほぼ同じで、この実施例では約１〜２ｃｍである。
【００２１】
細長のフレキシブル要素６は、第二の領域１０が互いに一定の間隔で長さｂを有するように、第二のテープ４に適切な方法で配置される。両間隔ａとｂはこの実施例では等しく、固定手段２の第一の領域８と第二の領域１０も同様にほぼ等しく、保持手段１の第一の領域７と第二の領域９の長さは等しい。
【００２２】
後に示すように、互いに結合しあうために、保持手段１と結合手段２は、互いに平行に配置され、その際保持手段１の一個の第一の領域７に固定手段２の第一の領域８が対向し、この結果保持手段１の第二の領域９に固定手段２の第二の領域１０が対向する。固定手段２の細長のフレキシブル要素６に、後に更に説明するが、結合要素１２の終端領域１３がはめ込まれ、第二の結合されていない領域９において他の終端領域１４は、保持手段１の細長のフレキシブル要素５に取り付けられる。
【００２３】
図１からわかるように、結合要素１２は、固定手段２の細長のフレキシブル要素６の固定されていない領域１０内に取り付けられ、保持手段１の細長のフレキシブル要素５上の対向する第二の領域９に係合される。結合要素は必要な数だけ、また必要な場所に挿入できる。結合要素の使用によって上敷きとマットレスの間の結合が非常にフレキシブルになる。
【００２４】
図２ではマットレス１５と上敷き１６の角領域が示される。マットレス１５のコア材料はカバー１７を備え、カバー１７は、マットレス１５のへり領域を覆うように第一の部分１８と、マットレス１５の上側あるいは下側をカバーする平坦表面１９を含む。カバーの第一の部分１８と平らな表面１９の間の結合縫い目２０の中に、第一のテープ３の縦へり領域２０が縫い込まれる。この結果、細長のフレキシブル要素５はカバー１７の外側でマットレス１５の上に位置し、固定されていない。
【００２５】
上敷き１６は同様にカバー２１を備え、その結合縫い目の中に、マットレス１５の場合と同様に、第二のテープ４の縦へり領域２２が縫い込まれる。ここでも細長のフレキシブル要素６は上敷き１６の表面に位置し、固定されていない。
【００２６】
図３は、細長のフレキシブル要素５と細長のフレキシブル要素６の結合に役立つ結合要素１２を示す。この結合要素１２は、一方のフック２３を形成する終端領域１３を有する。フック２３はその終端に突出部２４を有し、突出部により一方のフック２３の開口部が部分的に閉じられる。この一方のフック２３は、細長のフレキシブル要素６を介して、上敷き１６に配置された固定手段２に止められ、突出部２４により結合要素は細長のフレキシブル要素６に保持される。
【００２７】
他方の終端領域１４はフック２５の形状を呈し、フックは通常マットレスに固定された保持手段１の細長のフレキシブル要素５に係合される。本実施形態において結合要素は、通常上敷きの固定手段２に保持され、マットレス１５と上敷き１６の結合を外すためには、通常フック２５が細長のフレキシブル要素５から外される。上敷き１６の洗浄のために結合要素１２を固定手段２から取り外しできるのは、結合要素が弾性プラスチックから製造されているからであり、フック２３は細長のフレキシブル要素６から取り外すために曲げて開かれ、その結果細長のフレキシブル要素６は突出部２４の下を通り抜けてフックから外すことができる。
【００２８】
いうまでもなく結合要素１２は逆の方法で取り付け可能である。フック２３が保持手段１の細長のフレキシブル要素５を介して止められ、フック２５は固定手段２の細長のフレキシブル要素６を係合させることができる。
【００２９】
図４と５ではマットレス１５が示される。この実施形態ではマットレス１５の周囲全体に渡って保持手段１が設けられる。マットレス１５の図示しない下側にも、適切な方法で保持手段１が設けられる。マットレス１５の周囲全体に渡って保持手段１が設けられず、ストライプ状にマットレスの適切な箇所に取り付けることもできることは、言うまでもない。
【００３０】
図６及び図７に示すように、上敷き１６が固定手段２を備えることは適切である。ここにおいても固定手段２を上敷き１６の上側と下側に取り付けることができるが、通常不要であることは言うまでもない。
【００３１】
図８は、ヘッド部分とフット部分が直立可能なマットレス１５を示す。前述の固定システムを用いれば、上述のような位置関係のマットレス１５であっても、上敷き１６とマットレス１５の間の最適な結合が得られる。本実施形態の結合要素によれば、固定手段に対して保持手段の一定の縦方向移動が可能であり、これにより上敷き１６はマットレス１５に対して縦方向の移動が可能である。また、このような配置で結合要素を保持手段あるいは固定手段中のそれぞれ最適な場所に挿入できる。
【００３２】
このシステムにより、上敷きとマットレスの間に更に中間層を挿入することができ、特定の性質を付与することもできる。これにより実際に好ましい方法でマットレスに、所望の特性を有する上敷きを備えることができる。適切な選択により、マットレスの上に横たわる人間の要求を実際に好ましい方法で満たすことができる。
【００３３】
特にマットレスでは保持手段が他の目的のために利用され、例えば固定シーツやマットレスカバーは、フックによりこの保持手段に掛け、このような上敷きは最適な方法でマットレスの上に保持される。例えばダブルベッドにおいて、２つのマットレスを、その終端にフックを備えた付加的な結合要素の使用により互いに結合することも可能である。複数の上敷きを１つのマットレスの上に乗せ、固定し、固定手段が上敷きの上側と下側の両方に設けられている場合、上敷きを重ねて結合することもできる。
【図面の簡単な説明】
【００３４】
【図１】それぞれ１つのテープに固定され、結合要素を介して互いに結合される保持手段と固定手段の斜視図である。
【図２】上敷きを敷いたマットレスの角領域と保持手段と固定手段の断面図である。
【図３】保持手段と固定手段の結合のための結合要素を示した図２の断面図である。
【図４】保持手段が表面に配置されるマットレスの斜視図である。
【図５】図４のマットレスの角領域の拡大図である。
【図６】固定手段が取りつけられた上敷きの斜視図である。
【図７】図６の上敷きの角領域の拡大図である。
【図８】位置調整されたヘッド及びフット部分を有する上敷き付きマットレスの斜視図である。
【符号の説明】
【００３５】
１  保持手段
２  固定手段
３、４  テープ
５、６  フレキシブル要素
１２  結合要素
【図１】
2005193023.tif 000003
【図２】
2005193023.tif 000004
【図３】
2005193023.tif 000005
【図４】
2005193023.tif 000006
【図５】
2005193023.tif 000007
【図６】
2005193023.tif 000008
【図７】
2005193023.tif 000009
【図８】
2005193023.tif 000010